【手続補正書】
【提出日】平成16年2月9日(2004.2.9)
【手続補正１】
【補正対象書類名】明細書
【補正対象項目名】０００８
【補正方法】変更
【補正の内容】
【０００８】
ＨＴＭＬの限界を突破するために、固定されたまたは予め定義されたフォーマットを有さないエクステンシブル・マークアップ言語（ＸＭＬ）と呼ばれる新しいマークアップ言語が使用されており、これは、ＳＧＭＬの柔軟性をより多く使用するよう設計されている。具体的には、ＸＭＬは、複数のタグおよびタグ間の構造的関係を定義するための便宜（ｆａｃｉｌｉｔｙ）を提供し、ＸＭＬ著者に自身のマークアップを設計するための柔軟性を与える。したがって、その情報コンテンツはより豊富にかつ使用しやすいものとなり得る。しかしＨＴＭＬと同様に、ＸＭＬは、ＳＧＭＬほど多くのマークアップおよび／またはＳＧＭＬ通則の知識を必要とせず、ＳＧＭＬより実装がはるかに簡単である。ＳＧＭＬに完全に整合したシステム（ｆｕｌｌｙ  ｃｏｎｆｏｒｍａｎｔ  ＳＧＭＬ  ｓｙｓｔｅｍ）により、ＸＭＬドキュメントを読み取り、理解できるようになるが、これはドキュメントを表示するのに必要なものではない。ＸＭＬは、ＤＴＤとともに機能し、またはそれなしでも機能するよう設計されている（つまり、それを正式に定義することを必要とせずにマークアップを創案できることを意味する）が、追加ドキュメントの構造化を自動的に制御する能力を維持するために、ＤＴＤが推奨されている。
【手続補正２】
【補正対象書類名】明細書
【補正対象項目名】００１２
【補正方法】変更
【補正の内容】
【００１２】
ｅコマースによる購買および予約に関するいくつかの情報を消費者に提供するための試みがなされたが、その試みは、概して、１つの特定のベンダーまたはサプライヤから購買されようとしているセレクションに関係する情報を表示するのみであった。たとえば、多くのインターネット・サイトが、「ショッピング・カート」を消費者に提供しており、その中に消費者が購買しようとしている製品が入っているので、購買しようとしている品目のリストをそれでもって見直すことができる。残念なことに、これらのタイプのサービスは、どの品目を購買したのかではなく、どの品目を購買しようとして選択したのかに関する情報を提供することに適しているだけである。ショッピング・カートに関連する別の問題は、消費者が単一のサプライヤからすべての商品および／またはサービスをめったに購買しないことである。このことは、単一のｅコマース・ベンダーまたはｅテーラ（ｅ−ｔａｉｌｏｒ）が、消費者が必要としている商品および／またはサービスについての完全なセレクションを提示しないという事実に起因する。このことはまた、最良のまたは最高の価値が得られることを消費者が確信することができるように、購買をする前にさまざまなサプライヤの間で見て回ることを消費者が好むという事実にも起因している。したがって、そのｅテーラがいかに大規模であろうとも、そのショッピング・カートが、消費者がコンピュータ・ネットワーク上で行う購買のすべてを収容することはないことになる。
【手続補正３】
【補正対象書類名】明細書
【補正対象項目名】００１５
【補正方法】変更
【補正の内容】
【００１５】
消費者のコンピュータ・ネットワーク上でのセレクションを追跡することに関連する別の問題は、時間が経つにつれてセレクションが更新されたり、その状態が変更されたりすることがあることである。たとえば、航空運賃が消費者によって選択された場合、時間の変更、日取りの変更、フライト状態の変更（すなわち、時間通り、遅れている、キャンセルとなったなど）およびその他を含む、フライトに関するいくつかの詳細事項が、時間が経つにつれて変更することがある。これらの更新または状態の変更を消費者が忘れてしまったり、または消費者に届かなかったりすることがある。さらに、消費者は、フライト番号、時間、日取りなどの変更をもたらす自分の旅行日程を変更することもある。さらに、消費者のセレクションに関する情報は、限られた有効期間しかなく、保存しておく必要がないことがある。たとえば、飛行機の切符が消費者によって選択された場合に、このような切符のレコードが、その切符が使用された直後に不要または無用のレコードとなることがある。コンピュータ・ネットワーク上で行われた消費者のセレクションを追跡できず、またはさらにこのような消費者のセレクションおよびその更新を追跡し更新できないならば、ｅコマースは、多くの消費者にとって依然魅力のない代替形態にとどまることになるであろう。
【特許文献１】米国特許５，７１５，３１４号明細書  Payne, et al. 「Network sales system」
【特許文献２】米国特許５，８１５，６６５号明細書  Teper, et al. 「System and method for providing trusted brokering services over a distributed network」
【特許文献３】米国特許５，８５２，８１２号明細書  Reeder 「Billing system for a network 」
【特許文献４】米国特許５,９２４,０８０号明細書  Johnson 「Computerized discount redemption system」
【特許文献５】米国特許５,９６０,４１１号明細書  Hartman, et al. 「Method and system for placing a purchase order via a communications network」
【特許文献６】米国特許６,０１４,６３４号明細書  Scroggie, et al. 「System and method for providing shopping aids and incentives to customers through a computer network」
【特許文献７】米国特許６，０２６,３７０号明細書  Jermyn 「Method and apparatus for generating purchase incentive mailing based on prior purchase history」
【特許文献８】米国特許６,０２９,１４１号明細書  Bezos, et al. 「Internet-based customer referral system」
【特許文献９】米国特許６,０７３,２４１号明細書  Rosenberg, et al. 「Apparatus and method for tracking world wide web browser requests across distinct domains using persistent client-side state」
【特許文献１０】米国特許６,１２５,３５２号明細書  Franklin, et al. 「System and method for conducting commerce over a distributed network 」
【特許文献１１】米国特許６,１３４,５３２号明細書  Lazarus, et al. 「System and method for optimal adaptive matching of users to most relevant entity and information in real-time 」
【特許文献１２】米国特許６,３１４,４２５号明細書  Serbinis, et al. 「Apparatus and methods for use of access tokens in an internet document management system 」